(57)【要約】【課題】電力供給がない場合もレンズの位置を保持する。【解決手段】レンズ鏡筒であって、第一光学部品を保持しつつ第一光学部品の光軸方向に移動する第一保持枠と、光軸方向に延在して第一保持枠と一体的に移動する案内軸と、案内軸を光軸方向に駆動する駆動部と、第一光学部品と共通の光学系に含まれる第二光学部品を保持しつつ光軸方向と交差する方向に移動する第二保持枠と、駆動部が案内軸を予め定められた係合位置まで駆動した場合に案内軸を第二保持枠と係合させる係合部とを備える。【選択図】図７
2013178380.tif 000002
【特許請求の範囲】
【請求項１】
第一光学部品を保持しつつ前記第一光学部品の光軸方向に移動する第一保持枠と、
前記光軸方向に延在して前記第一保持枠と一体的に移動する案内軸と、
前記案内軸を前記光軸方向に駆動する駆動部と、
前記第一光学部品と共通の光学系に含まれる第二光学部品を保持しつつ前記光軸方向と交差する方向に移動する第二保持枠と、
前記駆動部が前記案内軸を予め定められた係合位置まで駆動した場合に前記案内軸を前記第二保持枠と係合させる係合部と
を備えるレンズ鏡筒。
【請求項２】
前記係合部は、前記第二保持枠に形成され、前記係合位置に到達する前記案内軸が挿通される挿通穴を含む請求項１に記載のレンズ鏡筒。
【請求項３】
前記係合部は、前記第二保持枠に対して固定され、前記係合位置に到達した前記案内軸を弾性的に挟持する弾性部を含む請求項２に記載のレンズ鏡筒。
【請求項４】
前記案内軸は、前記係合位置に到達した場合に前記挿通穴に貫入するテーパ状の先端部を有する請求項２または請求項３に記載のレンズ鏡筒。
【請求項５】
前記第二保持枠を前記光軸方向と交差する方向に移動可能に支持する支持部と、
前記案内軸が前記係合位置に到達した場合に、前記案内軸を前記支持部に対して係止する係止部と
を更に備える請求項１から請求項４までのいずれか一項に記載のレンズ鏡筒。
【請求項６】
前記係止部は、磁石および磁性体のいずれか一方を有し、
前記案内軸は、前記磁石および前記磁性体の他方を有し、
前記磁石が前記磁性体に作用させる磁力により前記案内軸が前記支持部に係止される請求項５に記載のレンズ鏡筒。
【請求項７】
前記係止部は、凹部および凸部のいずれか一方を有し、
前記案内軸は、前記凹部および前記凸部の他方を有し、
前記案内軸は、前記凹部および前記凸部が嵌合することにより前記案内軸が前記支持部に係止される請求項５に記載のレンズ鏡筒。
【請求項８】
請求項１から請求項７までのいずれか一項に記載のレンズ鏡筒を備える光学機器。
【発明の詳細な説明】
【技術分野】
【０００１】
本発明は、レンズ鏡筒および光学機器に関する。
【背景技術】
【０００２】
ボイスコイルモータで駆動するレンズを備えたレンズ鏡筒がある（特許文献１参照）。
［特許文献１］  特開２００８−１５１９８８号公報
【発明の概要】
【発明が解決しようとする課題】
【０００３】
ボイスコイルモータのように自己保持性の無いアクチュエータに駆動される部材は、アクチュエータへの電力供給が絶たれると位置が不定になる。
【課題を解決するための手段】
【０００４】
本発明の第一態様として、第一光学部品を保持しつつ第一光学部品の光軸方向に移動する第一保持枠と、光軸方向に延在して第一保持枠と一体的に移動する案内軸と、案内軸を光軸方向に駆動する駆動部と、第一光学部品と共通の光学系に含まれる第二光学部品を保持しつつ光軸方向と交差する方向に移動する第二保持枠と、駆動部が案内軸を予め定められた係合位置まで駆動した場合に案内軸を第二保持枠と係合させる係合部とを備えるレンズ鏡筒が提供される。
【０００５】
本発明の第二態様として、上記レンズ鏡筒レンズ鏡筒を備える光学機器が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】一眼レフカメラ１００の模式的断面図である。
【図３】レンズ鏡筒２００内部の部分的な斜視図である。
【図４】レンズ鏡筒２００内部の部分的な断面図である。
【図５】レンズ鏡筒２００内部の部分的な断面図である。
【図６】レンズ鏡筒２００内部の部分的な断面図である。
【図７】レンズ鏡筒２００内部の部分的な断面図である。
【図８】移動筒２０２の正面図である。
【図９】レンズ鏡筒２００内部の部分的な断面図である。
【図１０】レンズ鏡筒２００内部の部分的な断面図である。
【図１１】レンズ保持枠２３６の正面図である。
【図１２】レンズ鏡筒２００内部の部分的な断面図である。
【図１３】レンズ鏡筒２００内部の部分的な断面図である。
【図１４】レンズ保持枠２３６の正面図である。
【図１５】レンズ鏡筒２００内部の部分的な断面図である。
【図１６】レンズ鏡筒２００内部の部分的な断面図である。
【図１７】レンズ鏡筒２００内部の部分的な断面図である。
【図１８】レンズ鏡筒２００内部の部分的な断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、レンズ鏡筒２００の模式的断面図である。一眼レフカメラ１００は光学機器の一例であり、レンズ鏡筒２００およびカメラボディ３００を備える。
【００１０】
レンズ鏡筒２００は、後端に設けられたレンズ側マウント部２６０によりカメラボディ３００に結合される。レンズ側マウント部２６０およびボディ側マウント部３６０の結合は予め定められた操作に従って解除できる。これにより、カメラボディ３００は、同じ規格のレンズ側マウント部２６０を有する他のレンズ鏡筒２００と組み合わせて使用できる。
【００１１】
なお、説明を簡潔にする目的で、下記の説明においては、カメラボディ３００に装着したレンズ鏡筒２００に対して物体側を、一眼レフカメラ１００の前側または先側と記載する。また、レンズ鏡筒２００に対して物体から遠い側を、一眼レフカメラ１００における後側または背面側と記載する。
【００１２】
レンズ鏡筒２００は、光軸Ｘに沿って配置された第一レンズ群２１０、第二レンズ群２２０、第三レンズ群２３０、第四レンズ群２４０および第五レンズ群２５０により形成された光学系を備える。また、レンズ鏡筒２００は、固定筒２０１、繰り出し筒２１４および移動筒２０２を備える。
【００１３】
固定筒２０１は、後端にレンズ側マウント部２６０を有する。カメラボディ３００前面のボディ側マウント部３６０とレンズ側マウント部２６０とを結合させることにより、固定筒２０１は、カメラボディ３００に対して固定される。
【００１４】
繰り出し筒２１４は、固定筒２０１に対して光軸Ｘと平行な方向に移動可能に、固定筒２０１から支持される。繰り出し筒２１４は、駆動環２１７により駆動されて、固定筒２０１に対して光軸Ｘ方向に移動する。駆動環２１７は、回転アクチュエータ２１８に駆動される駆動ギヤ２１９で回転駆動される。繰り出し筒２１４が固定筒２０１の前方に繰り出された場合は、レンズ鏡筒２００の全長が長くなる。
【００１５】
移動筒２０２は、固定筒２０１に対して、光軸Ｘと平行な方向に移動可能に配される。移動筒２０２は、固定筒２０１の内部で移動し、固定筒２０１の前方まで繰り出されることはない。
【００１６】
第一レンズ群２１０は、繰り出し筒２１４の前端に支持されたレンズ保持枠２１２に保持される。よって、繰り出し筒２１４が進退する場合は、第一レンズ群２１０も進退する。また、繰り出し筒２１４が固定筒２０１に対して前進した場合、第一レンズ群２１０の背面側には、第二レンズ群２２０がＸ軸方向に移動する空間が形成される。
【００１７】
第二レンズ群２２０はレンズ保持枠２２２に保持される。レンズ保持枠２２２は、回転アクチュエータ２２８に回転駆動されるリードスクリュー２２９により並進駆動される。並進するレンズ保持枠２２２は、案内軸２２６に案内されて、光軸Ｘと平行な方向に第二レンズ群２２０を移動させる。
【００１８】
第三レンズ群２３０を保持するレンズ保持枠２３２は、移動筒２０２の前端に固定される。また、第五レンズ群２５０を保持するレンズ保持枠２５２は、移動筒２０２の後端に固定される。よって、移動筒２０２が移動する場合、第三レンズ群２３０および第五レンズ群２５０は、一定の間隔を保ちつつ移動筒２０２と共に光軸Ｘ方向に移動する。
【００１９】
なお、第三レンズ群２３０は、防振レンズ２３４を含む。防振レンズ２３４を保持するレンズ保持枠２３６は、手振れ等に起因する像ぶれを補償すべく、光軸Ｘに対して交差する方向に、防振レンズ２３４を変位させる。
【００２０】
第四レンズ群２４０は、移動筒２０２の内側において第三レンズ群２３０および第五レンズ群２５０の間に配されたレンズ保持枠２４２に保持される。レンズ保持枠２４２は、ボイスコイル２４６、永久磁石２８２およびヨーク２８４を含むリニアアクチュエータ２８０により並進駆動される。
【００２１】
ボイスコイル２４６は、レンズ保持枠２４２から、第四レンズ群２４０の径方向に延伸された延伸部２４４に固定される。永久磁石２８２およびヨーク２８４は、移動筒２０２の内側に、長手方向が光軸Ｘと平行になる向きに配される。
【００２２】
これにより、第四レンズ群２４０は、移動筒２０２が移動する場合は、移動筒２０２、第三レンズ群２３０および第五レンズ群２５０と共に、光軸Ｘに平行な方向に移動する。更に、第四レンズ群２４０は、ボイスコイル２４６を含む並進アクチュエータに駆動されて、第三レンズ群２３０および第五レンズ群２５０に対して、光軸Ｘ方向に相対移動する。
【００２３】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２４】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２５】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２６】
ミラーユニット３７０は、メインミラー３７１およびサブミラー３７４を含む。メインミラー３７１は、メインミラー回動軸３７３により軸支されたメインミラー保持部３７２に支持される。
【００２７】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２８】
メインミラー保持部３７２の前端が降下した場合、メインミラー３７１は、レンズ鏡筒２００から入射した入射光束上に斜めに位置する。メインミラー保持部３７２が上昇した場合、メインミラー３７１は、入射光束を避けた位置に退避する。
【００２９】
メインミラー３７１が入射光束上に位置する場合、レンズ鏡筒２００を通じて入射した入射光束は、メインミラー３７１に反射されてフォーカシングスクリーン３５２に導かれる。フォーカシングスクリーン３５２は、レンズ鏡筒２００の光学系と共役な位置に配されて、レンズ鏡筒２００の光学系が形成した像を可視化する。
【００３０】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３１】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３２】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズ鏡筒２００の光学系を合焦させる場合に移動するレンズの目標位置を決定する。
【００３３】
上記のようなレンズ鏡筒２００およびカメラボディ３００を備える一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズ鏡筒２００から入射した入射光束は、ローパスフィルタ３３２を通過して、撮像素子３３０に入射する。
【００３４】
図２は、一眼レフカメラ１００の模式的断面図である。図１と共通の要素には同じ参照番号を付して重複する説明を省く。図示の一眼レフカメラ１００において、レンズ鏡筒２００は縮胴状態にある。
【００３５】
縮胴状態のレンズ鏡筒２００において、繰り出し筒２１４はカメラボディ３００に接近して、固定筒２０１の内部に後退している。レンズ鏡筒２００の全長が短縮されている。これにより、レンズ鏡筒２００の携帯の便宜が図られる。
【００３６】
レンズ鏡筒２００が縮胴状態の場合は、移動筒２０２も後退する。ただし、第四レンズ群２４０は、互いに相対位置が固定された第三レンズ群２３０および第五レンズ群２５０の間に配されているので、レンズ鏡筒２００を縮胴する目的で移動する必要はない。
【００３７】
ただし、一眼レフカメラ１００の電源が遮断された場合は、第四レンズ群２４０を保持するレンズ保持枠２４２も、移動筒２０２内で、規定の初期位置に移動して保持されることが好ましい。これにより、搬送中のレンズ鏡筒２００に加わる振動、衝撃等により第四レンズ群が他の部材に衝突することが防止される。また、規定の初期位置にとどまることにより、一眼レフカメラ１００が次に動作する場合の初期化が迅速になる。
【００３８】
図３は、レンズ鏡筒２００内部の部分的な斜視図であり、第四レンズ群２４０を保持したレンズ保持枠２４２を案内および駆動する機構を示す。図１および図２と共通の要素には同じ参照番号を付して重複する説明を省く。
【００３９】
レンズ保持枠２４２は、第四レンズ群２４０の径方向に延伸された延伸部２４４を有する。延伸部２４４の上端および下端には、それぞれ、ボイスコイル２４６が固定される。これにより、レンズ保持枠２４２は、ボイスコイル２４６と一体的に移動する。
【００４０】
ボイスコイル２４６は、光軸Ｘと平行に延在するヨーク２８４を挿通される。ヨーク２８４はレンズ鏡筒２００の前側で折り返し、再び光軸Ｘと平行に配される。ヨーク２８４には永久磁石２８２が平行に添えられる。
【００４１】
よって、ヨーク２８４の内側には、長手方向に一様な磁界が形成される。これにより、ボイスコイル２４６と永久磁石２８２およびヨーク２８４とは協働してリニアアクチュエータ２８０を形成する。
【００４２】
また、延伸部２４４は、図中左右方向に延伸した端部近傍において、それぞれ、案内軸２４１、２４３を保持する。これにより、案内軸２４１、２４３は、レンズ保持枠２４２と一体的に移動する。
【００４３】
案内軸２４１、２４３の先端は、先端から徐々に太くなるテーパ状の形状を有する。また、一方の案内軸２４３は、先端から離れた位置に周溝２９２を有する。周溝２９２は、案内軸２４３の周面に対して凹状に形成される。
【００４４】
図４は、レンズ鏡筒２００の部分的な断面図であり、光軸Ｘと直交する面により移動筒２０２を、切った様子を示す。図３までと共通の要素には同じ参照番号を付して重複する説明を省く。
【００４５】
リニアアクチュエータ２８０を形成するボイスコイル２４６は、レンズ保持枠２４２の延伸部２４４に固定される。一方、永久磁石２８２およびヨーク２８４は、移動筒２０２内面の図中上端および図中下端に固定される。よって、ボイスコイル２４６に駆動電流が供給された場合、レンズ保持枠２４２は紙面に垂直な駆動力を受ける。
【００４６】
また、レンズ保持枠２４２は、図中の左端および右端において、案内軸２４１、２４３と結合される。案内軸２４１、２４３は、それぞれ、紙面に垂直に延在して、レンズ保持枠２４２の移動方向を案内する。
【００４７】
このように、一対のリニアアクチュエータ２８０は、光軸Ｘに対して略対称な位置に配される。また、一対の案内軸２４１、２４３も、光軸Ｘに対して略対称な位置に配される。更に、図示の断面において一対のリニアアクチュエータ２８０を結ぶ直線は、同断面において一対の案内軸２４１、２４３を結ぶ直線と略直交する。
【００４８】
このような配置により、リニアアクチュエータ２８０が発生する駆動力は、レンズ保持枠２４２に対して略対称に作用する。また、一対の案内軸２４１、２４３により生じる摺動抵抗も、レンズ保持枠２４２に対して略対称に作用する。よって、リニアアクチュエータ２８０を動作させてレンズ保持枠２４２を移動させる場合に、レンズ保持枠２４２を光軸Ｘに対して傾ける力が生じ難い。
【００４９】
図５は、レンズ鏡筒２００の部分的な断面図であって、図４に点線Ａで示すように、移動筒２０２を、光軸Ｘを含む垂直面で切った様子を示す。図４までと共通の要素には同じ参照番号を付して重複する説明を省く。
【００５０】
移動筒２０２の内部において、リニアアクチュエータ２８０を形成する永久磁石２８２およびヨーク２８４は、互いに平行に、また、長手方向が光軸Ｘに平行に配される。よって、レンズ保持枠２４２と一体的なボイスコイル２４６に駆動電流が供給された場合、レンズ保持枠２４２を光軸と平行に移動させる駆動力を発生する。これにより、移動筒２０２の両端に配された第三レンズ群２３０および第五レンズ群２５０の間で、第四レンズ群２４０を光軸Ｘと平行な方向に移動させることができる。
【００５１】
また、移動筒２０２の前端において、第三レンズ群２３０の一部でもある防振レンズ２３４は、第三レンズ群２３０の径方向に延伸された延伸部２３８を有するレンズ保持枠２３６に保持される。延伸部２３８には、ボイスコイル２３１が固定される。また、ボイスコイル２３１に対向する位置において、移動筒２０２の前端面には永久磁石２３３が固定される。
【００５２】
これらボイスコイル２３１および永久磁石２３３は、防振レンズ２３４のレンズ保持枠２３６を、紙面と平行に移動させるリニアアクチュエータ２５３を形成する。レンズ鏡筒２００においては、レンズ鏡筒２００の振動を検出しつつリニアアクチュエータ２５３を駆動することにより、光学系が生じる像ぶれの垂直成分を打ち消すことができる。
【００５３】
図６は、レンズ鏡筒２００の部分的な断面図であって、図４に点線Ｂで示すように、移動筒２０２を、光軸Ｘを含む水平面で切った様子を示す。図５までと共通の要素には同じ参照番号を付して重複する説明を省く。
【００５４】
移動筒２０２は、内面から光軸Ｘに向かって突出する複数の軸支持部２０３を有する。軸支持部２０３は、案内軸２４１、２４３を支持する。
【００５５】
図中上側に配された単一の軸支持部２０３は、案内軸２４１の径と略等しい間隔の平行面を有する長穴状の係合穴２０５を有する。係合穴２０５には、一方の案内軸２４１が挿通される。これにより、軸支持部２０３は案内軸２４１を係合支持する。
【００５６】
よって、案内軸２４１は、移動筒２０２に対して、光軸Ｘと平行な方向に移動可能に軸支持部２０３から支持される。また、案内軸２４１は、紙面に対して垂直な方向への変位を、軸支持部２０３により規制される。
【００５７】
図中下側に配された一対の軸支持部２０３は、他方の案内軸２４３の外径と略等しい丸穴状の嵌合穴２０６をそれぞれ有する。嵌合穴２０６は、案内軸２４３の外周面と略相補的な内面形状を有する。これにより、一対の軸支持部２０３は、案内軸２４３を嵌合支持する。
【００５８】
よって、案内軸２４３は、光軸Ｘと平行な方向に移動可能に軸支持部２０３から支持される。また、案内軸２４３は、光軸Ｘと交差する方向への変位を、軸支持部２０３により規制される。
【００５９】
更に、案内軸２４３は、軸方向に間隔Ｓをおいて配された一対の軸支持部２０３により支持されている。よって、案内軸２４３が、光軸Ｘと平行な方向に対して傾くことが軸支持部２０３により規制される。
【００６０】
既に説明した通り、案内軸２４１、２４３は、レンズ保持枠２４２に対して固定されている。よって、第四レンズ群２４０を保持したレンズ保持枠２４２は、一対の案内軸２４１、２４３に案内されて、光軸Ｘと平行な方向への移動を許容されつつ、光軸Ｘと交差する方向への変位は規制される。また、レンズ保持枠２４２が光軸Ｘに対して傾斜することも規制される。
【００６１】
また、軸支持部２０３はそれぞれ移動筒２０２に対して固定されている。よって、レンズ保持枠２４２が光軸Ｘ方向に移動した場合も、軸支持部２０３に設けられた嵌合穴２０６の間隔Ｓは変化しない。これにより、嵌合支持された案内軸２４３は、レンズ保持枠２４２の位置にかかわらず常に間隔Ｓで支持され、光軸Ｘに対する傾きの規制は、レンズ保持枠２４２の位置にかかわらず安定する。
【００６２】
なお、移動筒２０２の前端面には、レンズ保持枠２４２が前進した場合に案内軸２４１、２４３を通過させる貫通穴２０７を有する。貫通穴２０７は、案内軸２４１、２４３の外径よりも大きな内径を有し、通過する案内軸２４１、２４３には接触しない。
【００６３】
ただし、一方の貫通穴２０７の周縁部には、一対の係止ばね２９０が配される。係止ばね２９０は屈曲した板ばねにより形成され、内側に向かって突出した凸部を有する。係止ばね２９０は、貫通穴２０７の径方向に付勢され、貫通穴２０７の内側に向かって突出する。
【００６４】
また、レンズ保持枠２４２と案内軸２４１、２４３との結合部において、レンズ保持枠２４２の表裏に緩衝部材２４５が配される。緩衝部材２４５は、エラストマ、ゴム等の弾性または粘弾性を有する材料により形成される。
【００６５】
レンズ保持枠２４２が、移動範囲Ｔの後端まで移動した場合、レンズ保持枠２４２と軸支持部２０３の間に緩衝部材２４５が挟まれる。また、レンズ保持枠２４２が、移動範囲Ｔの前端まで移動した場合、レンズ保持枠２４２と軸支持部２０３または移動筒２０２の前端面との間に緩衝部材２４５が挟まれる。これにより、レンズ保持枠２４２が移動範囲Ｔの端まで移動した場合に生じる衝撃が緩和される。
【００６６】
なお、一眼レフカメラ１００の電源が投入されてレンズ鏡筒２００が動作している場合、レンズ保持枠２４２は、緩衝部材２４５が軸支持部２０３に当接するまで移動するとは限らない。むしろ、レンズ保持枠２４２は、緩衝部材２４５と軸支持部２０３とが衝突しない範囲を移動する。しかしながら、外部から衝撃を受ける等した場合に例外的に、緩衝部材２４５および軸支持部２０３の当接により停止する。
【００６７】
移動筒２０２の前面には、防振レンズ２３４を保持するレンズ保持枠２３６が配される。レンズ保持枠２３６は、引っ張りばね２３９により移動筒２０２の前面に向かって引き付けられる。これにより、レンズ保持枠２３６は、移動筒２０２の前面に保持される。
【００６８】
また、レンズ保持枠２３６と移動筒２０２の前面との間には、転動ボール２３７が挟まれる。これにより、レンズ保持枠２３６は、移動筒２０２の前面に沿って、光軸Ｘと直交する方向に円滑に移動する。
【００６９】
更に、図示の断面においても、レンズ保持枠２３６の延伸部２３８には、ボイスコイル２３１が固定される。また、ボイスコイル２３１に対向する位置において、移動筒２０２の前端面には永久磁石２３３が固定される。
【００７０】
これらボイスコイル２３１および永久磁石２３３は、防振レンズ２３４のレンズ保持枠２３６を、紙面と平行に移動させるリニアアクチュエータ２５３を形成する。レンズ鏡筒２００においては、レンズ鏡筒２００の振動を検出しつつリニアアクチュエータ２５３を駆動することにより、光学系が生じる像ぶれの水平成分を打ち消すことができる。
【００７１】
また更に、レンズ保持枠２３６の延伸部２３８には、図中の上端近傍および下端近傍に、一対の係止穴２３５を有する。防振レンズ２３４の光軸と光学系の光軸Ｘとが一致する位置にレンズ保持枠２３６がある場合に、係止穴２３５は、移動筒２０２の貫通穴２０７と同軸な位置になる。
【００７２】
また、係止穴２３５は、移動筒２０２側において、案内軸２４１、２４３よりも大きな内径を有する。また、係止穴２３５の内径は、移動筒２０２から遠ざかるにつれて、案内軸２４１、２４３の外径に近づく。
【００７３】
図７は、レンズ鏡筒２００の部分的な断面図であり、移動筒２０２においてレンズ保持枠２４２が初期位置に係止された状態を示す。図６と共通の要素には同じ参照番号を付して重複する説明を省く。
【００７４】
図示の状態において、第四レンズ群２４０を保持するレンズ保持枠２４２は、移動範囲Ｔの最も前端に位置する。このとき、レンズ保持枠２４２の前面に位置する緩衝部材２４５は、移動筒２０２の前端面または前側の軸支持部２０３に当接している。
【００７５】
換言すれば、第四レンズ群２４０の移動範囲Ｔの長さは、案内軸２４１においては、緩衝部材２４５が軸支持部２０３に当接する位置から、移動筒２０２の前端面に当接するまでの範囲となる。また、案内軸２４３においては、緩衝部材２４５が前側の軸支持部２０３に当接する位置から後側の軸支持部２０３に当接するまでの範囲となる。
【００７６】
また、レンズ保持枠２４２と共に前進した案内軸２４１、２４３の前端は、貫通穴２０７を通過して、移動筒２０２の前端面から前方に突出する。また、案内軸２４１、２４３の前端は、係止穴２３５を貫通する。
【００７７】
案内軸２４１、２４３の先端は、それぞれテーパ部２９４を有する。また、係止穴２３５も、それぞれテーパ状の内面を有する。よって、案内軸２４１、２４３が係止穴２３５に挿入される過程で、レンズ保持枠２４２は、レンズ保持枠２４２を初期位置に移動させる。
【００７８】
更に、係止穴２３５の径が小さい部分は、案内軸２４１、２４３の外径と略同じ内径を有する。よって、レンズ保持枠２４２は、案内軸２４１、２４３により係止され、光軸Ｘと交差する方向への変位を規制される。
【００７９】
また、案内軸２４１、２４３が移動範囲Ｔの前端まで移動した場合、案内軸２４１、２４３の周面に設けられた凹状の周溝２９２に、係止ばね２９０の凸状の部分が嵌まる。これにより、案内軸２４１、２４３は、予め定められた初期位置に係止される。
【００８０】
このように、レンズ鏡筒２００においてレンズ保持枠２４２が移動範囲Ｔの前端まで移動した場合、レンズ保持枠２４２、２３６は相互に係合される。よって、第四レンズ群を保持したレンズ保持枠２４２は、光軸Ｘと平行な方向の移動を係止される。また、防振レンズ２３４を保持するレンズ保持枠２３６は、光軸Ｘと交差する方向の変位を係止される。
【００８１】
また、上記のようなレンズ保持枠２３６、２４２の係止は、一眼レフカメラ１００の電源が絶たれた状態であっても維持される。よって、外部から振動、衝撃等が加わった場合も、第四レンズ群２４０および防振レンズ２３４が他のレンズまたは部材に衝突することが防止される。
【００８２】
なお、一眼レフカメラ１００の電源が投入され、レンズ鏡筒２００が動作している場合、レンズ保持枠２４２は、係止ばね２９０が周溝２９２に入り込むまで移動するとは限らない。むしろ、レンズ保持枠２４２は、係止ばね２９０に係止されない範囲で移動し、一眼レフカメラ１００の電源が遮断された場合に、係止ばね２９０および周溝２９２の作用により係止される。
【００８３】
また、係止ばね２９０および周溝２９２による係止は、一眼レフカメラ１００の電源が遮断された場合でも維持されるので、一眼レフカメラ１００が次に動作する場合まで、レンズ保持枠２４２、２３６を初期位置に保持する。よって、レンズ保持枠２３６、２４２の位置の初期化を省くことができ、レンズ保持枠２３６、２４２を初期位置に移動させる電力を節約できる。また、一眼レフカメラ１００の起動に要する時間を短縮できる。
【００８４】
図８は、移動筒２０２の前面を示す正面図であり、図７に示した状態に対応する。図６および図７と共通の要素には同じ参照番号を付して重複する説明を省く。
【００８５】
図示のように、防振レンズ２３４を保持するレンズ保持枠２３６を付勢する引っ張りばね２３９と、レンズ保持枠２３６を支持する転動ボール２３７は、移動筒２０２の前端面の複数箇所、例えば３箇所に配される。これにより、レンズ保持枠２３６は、移動筒２０２の前面と平行に移動可能に支持される。また、レンズ保持枠２３６が、光軸Ｘに対して傾斜することが防止される。
【００８６】
また、レンズ保持枠２４２が前進して案内軸２４１、２４３が貫通穴２０７から突出した場合、係止ばね２９０は、図中に矢印で示すように、案内軸２４３の径方向に、互いに対向する方向に付勢されて、案内軸２４３を径方向に挟持する。よって、前進する案内軸２４３が係止ばね２９０に接した場合に、係止ばね２９０の付勢力により案内軸２４３がぶれることはない。
【００８７】
換言すれば、係止ばね２９０の付勢方向は、レンズ鏡筒２００の径方向に限られるわけではない。案内軸２４３の径方向であって互いに対向する方向であれば、例えば、図中の水平方向であっても、他の方向であっても、一対の係止ばね２９０を配置できる。更に、案内軸２４３の周方向に等間隔であれば、３個以上の係止ばね２９０を配置してもよい。
【００８８】
また、係止ばね２９０は、付勢力により案内軸２４３を弾性的に挟持する。よって、係止状態にあるレンズ保持枠２４２を再び移動させる場合は、係止ばね２９０の付勢力に打ち勝って案内軸２４１、２４３を移動させるに足る駆動力をリニアアクチュエータ２８０に発生させる。係止ばね２９０が周溝２９２から抜け出した後は、防振レンズ２３４および第四レンズ群２４０を移動させるに足る駆動力をリニアアクチュエータ２５３、２８０に発生させればよい。
【００８９】
なお、図示の例では、係止ばね２９０を移動筒２０２の前面に配した。しかしながら、係止ばね２９０は、移動筒２０２前端面の後面に配してもよい。また、係止ばね２９０は、軸支持部２０３に固定してもよい。ただし、いずれの場合も、案内軸２４３に形成する周溝の位置を調整すべきことはいうまでもない。
【００９０】
更に、係止ばね２９０および周溝２９２を係合させる係止機構を、他方の案内軸２４１について併せて設けてもよい。ただし、いずれか一方に係止機構を設ける場合は、嵌合支持されている案内軸２４３に設けることが好ましい。
【００９１】
図９は、他の実施形態に係るレンズ鏡筒２００における移動筒２０２の断面図であって、図６および図７と同じ視点からの断面を示す。次に説明する点を除くと、図６、図７および図８に示した形態と同じ構造を有するので、共通の要素には同じ参照番号を付して重複する説明を省く。
【００９２】
図示の移動筒２０２において、係止ばね２９０は、防振レンズ２３４を保持するレンズ保持枠２３６に固定される。このため、案内軸２４１、２４３に形成される周溝２９２の位置も、案内軸２４１、２４３の、より先端近傍に配される。
【００９３】
図１０は、図９に示したレンズ鏡筒２００において、レンズ保持枠２４２が初期位置に係止された状態を示す。図９と共通の要素には同じ参照番号を付して重複する説明を省く。
【００９４】
図示の状態では、レンズ保持枠２４２は、その可動範囲Ｔで最も前方に移動している。よって、案内軸２４１、２４３の先端は、移動筒２０２の貫通穴２０７とレンズ保持枠２３６の係止穴２３５を通過して、レンズ保持枠２３６の前方に突出している。これにより、係止ばね２９０が案内軸２４３の周溝２９２に入り込み、係止ばね２９０が案内軸２４３を挟持している。
【００９５】
よって、レンズ保持枠２４２は、案内軸２４３を通じてレンズ保持枠２３６に係合される。既に説明した通り、レンズ保持枠２３６は、光軸Ｘと交差する方向に限って移動できる。また、レンズ保持枠２４２は、光軸Ｘと平行な方向に限って移動できる。
【００９６】
よって、レンズ保持枠２３６、２４２が相互に係合された場合は、いずれのレンズ保持枠２３６、２４２もが係止される。これにより、一眼レフカメラ１００の電源が遮断された場合であっても、レンズ保持枠２４２が、外部からの振動、衝撃等により移動することはない。
【００９７】
更に、図示の位置を第四レンズ群２４０の初期位置とすることにより、第四レンズ群２４０を初期位置に移動する電力を節約できると共に、レンズ鏡筒２００の初期化動作を短縮できる。
【００９８】
図１１は、移動筒２０２の前面を示す正面図であり、図１０に示した状態に対応する。図９および図１０と共通の要素には同じ参照番号を付して重複する説明を省く。
【００９９】
レンズ保持枠２４２が前進して案内軸２４１、２４３が係止穴２３５から突出した場合、係止ばね２９０は、図中に矢印で示すように、案内軸２４３の径方向に、互いに対向する方向から付勢されて案内軸２４３を挟持する。よって、前進した案内軸２４３が係止ばね２９０に接した場合に、係止ばね２９０の付勢力により案内軸２４３がぶれることはない。
【０１００】
係止ばね２９０の付勢方向は、レンズ鏡筒２００の径方向に限られるわけではなく、案内軸２４３の径方向であって互いに対向する方向であれば、様々な方向を選択できる。また、案内軸２４３の周方向に等間隔であれば、３個以上の係止ばね２９０を配置してもよい。
【０１０１】
係止ばね２９０は、付勢力により案内軸２４３を弾性的に挟持するので、係止状態にあるレンズ保持枠２４２を再び移動させる場合は、係止ばね２９０の付勢力に打ち勝って案内軸２４１、２４３を移動させるに足る駆動力をリニアアクチュエータ２８０に発生させればよい。係止ばね２９０が周溝２９２から抜け出した後は、防振レンズ２３４および第四レンズ群２４０を移動させるに足る駆動力をリニアアクチュエータ２５３、２８０に発生させればよい。
【０１０２】
なお、上記の例は、レンズ保持枠２３６の延伸部２３８の前面に係止ばね２９０を配置した。しかしながら、延伸部２３８の背面に係止ばね２９０を配置してもよい。また、係止ばね２９０および周溝２９２を係合させる係止機構を、他方の案内軸２４１について併せて設けてもよい。ただし、いずれか一方に係止機構を設ける場合は、嵌合支持されている案内軸２４３に設けることが好ましい。
【０１０３】
図１２は、また他の実施形態に係るレンズ鏡筒２００における移動筒２０２の断面図であって、図６および図７と同じ視点からの断面を示す。次に説明する点を除くと、図９、図１０および図１１に示した形態と同じ構造を有するので、共通の要素には同じ参照番号を付して重複する説明を省く。
【０１０４】
図示の移動筒２０２において、一対の案内軸２４１、２４３の先端近傍には、それぞれ周溝２９２が配される。周溝２９２は、案内軸２４１、２４３の周面に対して凹状に形成される。また、図示の移動筒２０２において、一対の係止ばね２９０は、図中上側の係止穴２３５の縁と、図中下側の係止穴２３５の縁とに、それぞれひとつずつ配される。
【０１０５】
図１３は、図１２に示したレンズ鏡筒２００において、レンズ保持枠２４２が前側の係止位置に係止された状態を示す。図１２と共通の要素には同じ参照番号を付して重複する説明を省く。
【０１０６】
図示の状態では、係止ばね２９０は、それぞれ周溝２９２に入り込んでいる。ただし、図中上側の係止ばね２９０は、図中上側から案内軸２４１の周溝２９２に係合している。また、図中下側の係止ばね２９０は、図中下側から案内軸２４３の周溝２９２に係合している。よって、係止ばね２９０は、案内軸２４１、２４３のいずれか１本を挟持しているわけではない。
【０１０７】
図１４は、移動筒２０２の前面を示す正面図であり、図１３に示した状態に対応する。図１２および図１３と共通の要素には同じ参照番号を付して重複する説明を省く。
【０１０８】
レンズ保持枠２４２が前進して案内軸２４１、２４３が係止穴２３５から突出した場合、係止ばね２９０は、図中に矢印で示すように、案内軸２４３の径方向に、互いに対向する方向から付勢される。案内軸２４１、２４３は、いずれもレンズ保持枠２４２の延伸部２４４に対して固定されているので、案内軸２４１、２４３とレンズ保持枠２４２がなす系は、全体として係止ばね２９０により挟持される。また、一対の係止ばね２９０は対向する方向に付勢されているので、前進する案内軸２４３が係止ばね２９０に接した場合に、係止ばね２９０の付勢力により案内軸２４３がぶれることはない。
【０１０９】
こうして、係止ばね２９０および周溝２９２によりレンズ保持枠２３６、２４２を係止することにより、一眼レフカメラ１００の電源が遮断された場合であっても、レンズ保持枠２４２が、外部からの振動、衝撃等により移動することはない。また、図示の位置を第四レンズ群２４０および防振レンズ２３４の初期位置とすることにより、一眼レフカメラ１００を起動する場合に、第四レンズ群２４０および防振レンズ２３４を初期位置に移動する電力を節約できると共に、初期化動作に要する時間を短縮できる。
【０１１０】
なお、図示の例では、係止ばね２９０は、移動筒２０２の径方向について外側から内側に向かって付勢されている。しかしながら、係止ばね２９０を、系方向について内側から外側に向かって付勢した場合も同様の作用が生じる。また、案内軸２４３の周方向に等間隔であれば、各々の案内軸２４１、２４３に対して複数の係止ばね２９０を配置してもよい。
【０１１１】
更に、上記の例は、レンズ保持枠２３６の延伸部２３８の前面に係止ばね２９０を配置した。しかしながら、延伸部２３８の背面に係止ばね２９０を配置してもよい。また、図６から図８に示した、係止ばね２９０を移動筒２０２に配する構造においても、両方の案内軸２４１、２４３に周溝２９２を設けると共に、係止ばね２９０を双方の案内軸２４１、２４３に対して分散して配置してもよい。
【０１１２】
図１５は、また他の実施形態に係るレンズ鏡筒２００における移動筒２０２の断面図であって、図６および図７と同じ視点からの断面を示す。次に説明する点を除くと、図６、図７および図８に示した形態と同じ構造を有するので、共通の要素には同じ参照番号を付して重複する説明を省く。
【０１１３】
図示の移動筒２０２において、案内軸２４３は、移動筒２０２に形成された軸支持部２０３の嵌合穴２０６と、移動筒２０２の前端面に形成された嵌合穴２０６とにより嵌合支持される。これにより、一対の嵌合穴２０６の間隔Ｓを広くとることができる。また、移動筒２０２の形状を簡素化できる。
【０１１４】
また、図示の移動筒２０２においては、係止磁石２９９および磁性体部材２４７を含む案内軸２４３の係止機構が形成される。案内軸２４３は、軸支持部２０３の図中右側の端部に、軸方向と直交する当接面２４８を有する。当接面２４８において軸支持部２０３に対向する面には、磁性体部材２４７が固定される。また、当接面２４８において移動筒２０２の後端面に対向する面には緩衝部材２４５が貼付される。
【０１１５】
更に、軸支持部２０３において、当接面２４８に対向する面には、係止磁石２９９が固定される。係止磁石２９９は永久磁石を含み、外部から電力等を供給されることなく磁力を発生する。また更に、係止磁石２９９の周囲には電磁石２０４が配される。電磁石２０４は、駆動電流が供給された場合に、電磁石２０４の形成する磁界を打ち消す磁界を発生する。
【０１１６】
図示のように、第四レンズ群２４０が後退し切った状態では、案内軸２４３の当接面２４８と移動筒２０２の後端面との間に緩衝部材２４５が挟まれる。これにより、当接面２４８が軸支持部２０３に当接した場合の衝撃が緩和される。よって、リニアアクチュエータ２８０により第四レンズ群２４０を図中右側に当たるレンズ鏡筒２００の後方に移動させた場合の他、外部からの衝撃等により第四レンズ群２４０が慮外に後退した場合も、第四レンズ群２４０にかかる衝撃を緩和できる。
【０１１７】
第四レンズ群２４０は、案内軸２４３の当接面２４８が、軸支持部２０３の後面に当接するまで移動できる。よって、図中に矢印で示すように、第四レンズ群２４０の移動範囲Ｔは、当接面２４８の緩衝部材２４５が移動筒２０２の後端面に当接する位置から、当接面２４８の磁性体部材２４７が係止磁石２９９に当接するまでの範囲となる。
【０１１８】
なお、一眼レフカメラ１００の電源が投入され、レンズ鏡筒２００が動作している場合、レンズ保持枠２４２は、緩衝部材２４５が軸支持部２０３に当接するまで移動するとは限らない。むしろ、レンズ保持枠２４２は、緩衝部材２４５と軸支持部２０３とが衝突しない範囲を移動し、外部から衝撃を受ける等した場合に例外的に、緩衝部材２４５および軸支持部２０３の当接により停止する。
【０１１９】
図１６は、レンズ鏡筒２００の部分的な断面図であり、レンズ保持枠２４２が初期位置に係止された状態を示す。図１５と共通の要素には同じ参照番号を付して重複する説明を省く。
【０１２０】
レンズ保持枠２４２が前進して当接面２４８が移動筒２０２の端面に当接した場合、磁性体部材２４７が、係止磁石２９９に吸着される。これにより、第四レンズ群２４０は、移動範囲Ｔの前側の端に固定される。これにより、一眼レフカメラ１００の電源が絶たれた状態であっても、レンズ保持枠２４２は、後端の初期位置に係止される。また、外部から振動、衝撃等が加わった場合も案内軸２４３に結合されたレンズ保持枠２４２は係止され、第四レンズ群２４０が他のレンズまたは部材に衝突することが防止される。
【０１２１】
また、レンズ保持枠２４２が移動範囲Ｔの前端まで移動した場合、案内軸２４１、２４３の前端は、防振レンズ２３４を保持するレンズ保持枠２３６の延伸部２３８に配された係止穴２３５に陥入する。これにより、案内軸２４１、２４３を通じてレンズ保持枠２３６、２４２が係合し、レンズ保持枠２３６も係止される。
【０１２２】
更に、上記の移動筒２０２において、係止状態にある第四レンズ群２４０を再び移動させる場合、電磁石２０４に通電して、係止磁石２９９の磁力線を打ち消すことにより、磁性体部材２４７を係止磁石２９９から容易に開放できる。よって、リニアアクチュエータ２８０の駆動力を大きくすることなく、磁性体部材２４７を係止磁石２９９から引き離すことができる。
【０１２３】
なお、上記の例では、移動筒２０２側に係止磁石２９９を配し、案内軸２４３側に磁性体部材２４７を配した。しかしながら、移動筒２０２側に磁性体部材２４７を配し、案内軸２４３側に係止磁石２９９を配しても同様の機能を実現できることはいうまでもない。
【０１２４】
また、上記の例では、案内軸２４３の端部に、係止磁石２９９が吸着する磁性体部材２４７を固定する構造とした。しかしながら、案内軸２４３そのものを磁性体材料により形成して、磁性体部材２４７を省略してもよい。
図１７は、また他の実施形態に係るレンズ鏡筒２００における移動筒２０２の断面図であって、図１５および図１６と同じ視点からの断面を示す。次に説明する点を除くと、図１５および図１６に示した形態と同じ構造を有するので、共通の要素には同じ参照番号を付して重複する説明を省く。
【０１２５】
図示の移動筒２０２において、図中上側に位置する案内軸２４１は、移動筒２０２に形成された軸支持部２０３に対して固定される。また、案内軸２４１は、レンズ保持枠２４２の延伸部２４４に形成された係合穴２０５に挿通される。係合穴２０５は、案内軸２４１の径と略等しい間隔の平行面を有し、案内軸２４１の紙面に対して垂直な変位を規制する。
【０１２６】
これにより、レンズ保持枠２４２を係合支持する構造を簡略化できる。また、案内軸２４１が固定されているので、案内機構が占有するスペースを縮小できる。
【０１２７】
図１８は、レンズ鏡筒２００の部分的な断面図であり、レンズ保持枠２４２が初期位置に係止された状態を示す。図１７と共通の要素には同じ参照番号を付して重複する説明を省く。
【０１２８】
レンズ保持枠２４２が前進して当接面２４８が移動筒２０２の端面に当接した場合、レンズ保持枠２４２を嵌合支持する案内軸２４３は、レンズ保持枠２４２と共に前進する。これにより、案内軸２４３の先端が、レンズ保持枠２３６の延伸部２３８に形成された係止穴２３５に陥入して、レンズ保持枠２３６、２４２を相互に係合させる。これにより、外部から電力等を供給されることなく、防振レンズ２３４および第四レンズ群２４０が係止される。
【０１２９】
ここまで、ボイスコイルモータを用いたレンズ鏡筒２００を例にあげて説明した。しかしながら、案内軸２４１、２４３を備えたレンズ鏡筒２００であれば、ボイスコイルモータ以外のアクチュエータを用いたレンズ鏡筒２００であっても上記の構造を適用できる。
【０１３０】
また、交換可能なレンズ鏡筒２００を備えた一眼レフカメラ１００を例にあげて説明したが、クイックリターンミラーを備えていないレンズ交換式の撮像装置であっても上記の構造を適用できる。更に、レンズ鏡筒２００とカメラボディ３００が一体に形成されたカメラにおいても上記の構造を適用できる。
【０１３１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１３２】
１００  一眼レフカメラ、２００  レンズ鏡筒、２０１  固定筒、  ２０２  移動筒、  ２０３  軸支持部、２０４  電磁石、２０５  係合穴、２０６  嵌合穴、２０７  貫通穴、２１０  第一レンズ群、２１２、２２２、２３２、２３６、２４２、２５２  レンズ保持枠、２１４  繰り出し筒、２１７  駆動環、２１８  回転アクチュエータ、２１９  駆動ギヤ、２２０  第二レンズ群、２２６、２４１、２４３  案内軸、２２８  回転アクチュエータ、２２９  リードスクリュー、２３０  第三レンズ群、２３１、２４６  ボイスコイル、２３３、２８２  永久磁石、２３４  防振レンズ、２３５  係止穴、２３７  転動ボール、２３９  引っ張りばね、２３８、２４４  延伸部、２４０  第四レンズ群、２４５  緩衝部材、２４７  磁性体部材、２４８  当接面、２５０  第五レンズ群、２５３、２８０  リニアアクチュエータ、２６０  レンズ側マウント部、２８４  ヨーク、２９０  係止ばね、２９２  周溝、２９４  テーパ部、２９９  係止磁石、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ
【図１】
2013178380.tif 000003
【図２】
2013178380.tif 000004
【図３】
2013178380.tif 000005
【図４】
2013178380.tif 000006
【図５】
2013178380.tif 000007
【図６】
2013178380.tif 000008
【図７】
2013178380.tif 000009
【図８】
2013178380.tif 000010
【図９】
2013178380.tif 000011
【図１０】
2013178380.tif 000012
【図１１】
2013178380.tif 000013
【図１２】
2013178380.tif 000014
【図１３】
2013178380.tif 000015
【図１４】
2013178380.tif 000016
【図１５】
2013178380.tif 000017
【図１６】
2013178380.tif 000018
【図１７】
2013178380.tif 000019
【図１８】
2013178380.tif 000020